(57)【要約】【課題】運転台の面積を一定に保った状態で運転席側方のサイドコラムと運転席間のスペースを拡大させて有効利用する。【解決手段】運転席２０の前方にステアリングコラム３９を配設するコンバインにおいて、左右方向に延設させるフロントパネル４１をステアリングコラム３９上部に設け、各種操作部材１０１〜１１０をフロントパネル４１を配設させると共に、運転席２０側方のサイドコラム４６幅を縮小させる。【選択図】　　　図７
2004073101.tif 000002
【特許請求の範囲】
【請求項１】
運転席の前方にステアリングコラムを配設するコンバインにおいて、左右方向に延設させるフロントパネルをステアリングコラム上部に設け、各種操作部材をフロントパネルを配設させると共に、運転席側方のサイドコラム幅を縮小させるように設けたことを特徴とするコンバイン。
【請求項２】
運転席前方の前側板にステアリングコラムを中心として左右に分割させる左右の膝当て部材を配設させたことを特徴とする請求項１記載のコンバイン。
【請求項３】
運転席とサイドコラム間に各種制御用のコントローラを配設すると共に、付属品など収納する収納ボックスでコントローラを覆ったことを特徴とする請求項１記載のコンバイン。
【請求項４】
運転席の前後一側をガススプリングを有する上下調節機構で、他側をコの字形のリンク部材で運転台に上下位置調節自在に支持させたことを特徴とする請求項１記載のコンバイン。
【請求項５】
運転台上側に張設する運転席の内張り板を昇降用取手部材と上下調節機構と収納ボックスを介し運転台に取付けたことを特徴とする請求項１及び３及び４記載のコンバイン。
【請求項６】
ステアリングコラムの左右両側にフットレストを折畳み自在に設けたことを特徴とする請求項１記載のコンバイン。
【請求項７】
穀物タンクの穀粒排出オーガを操作する操作ボックスを運転席右側のアームレストに内設させ、機体右外側より操作ボックスの操作を可能とさせたことを特徴とする請求項１記載のコンバイン。
【発明の詳細な説明】
【０００１】
【発明の属する技術分野】
本発明は刈取部で連続的に穀稈を刈取った穀稈を脱穀部で脱穀して穀物タンクに穀粒を貯留するコンバインに関する。
【０００２】
【発明が解決しようとする課題】
従来、例えば機体の自動走行や水平制御を行う操作スイッチなど各種操作部材や各種作業状況を表示させる表示パネルをサイドコラムに設ける構成にあっては、サイドコラムの横幅も広いため運転席とサイドコラムとが近接して作業者の居住空間も狭いものとなって作業もしずらいという不具合があった。
【０００３】
【課題を解決するための手段】
然るに、本発明は、運転席の前方にステアリングコラムを配設するコンバインにおいて、左右方向に延設させるフロントパネルをステアリングコラム上部に設け、各種操作部材をフロントパネルを配設させると共に、運転席側方のサイドコラム幅を縮小させるように設けて、運転席とサイドコラム間のスペースを従来より拡大させ、従来の運転席や運転台の大きさで作業者の居住空間を有効に拡大させて作業能率の向上化を図ると共に、取扱い説明書などの書類入れやツールボックスなど付属品の設置も運転席とサイドコラム間に容易に設置可能とさせて作業性を向上させるものである。
【０００４】
また、運転席前方の前側板にステアリングコラムを中心として左右に分割させる左右の膝当て部材を配設させて、前側板に運転席を最大に近接させて運転部全体の広さに対する作業者の居住空間を充分に確保して、運転席位置の作業者の操作など作業性を向上させるものである。
【０００５】
さらに、運転席とサイドコラム間に各種制御用のコントローラを配設すると共に、付属品など収納する収納ボックスでコントローラを覆って、運転席位置でコントローラの表示確認を容易に可能とさせると共に、作業中など常時は書類収納ボックスでコントローラを保護してコントローラの性能保持や耐久性の向上を図るものである。
【０００６】
また、運転席の前後一側をガススプリングを有する上下調節機構で、他側をコの字形のリンク部材で運転台に上下位置調節自在に支持させて、上下調節機構による運転席の上下位置調節時に運転台及び運転席側のコの字形リンク部材の相互重なりで運転席の左右方向の位置ズレのない良好な上下位置調節を可能とさせるものである。
【０００７】
さらに、運転台上側に張設する運転席の内張り板を昇降用取手部材と上下調節機構と収納ボックスを介し運転台に取付けて、各昇降用取手部材・上下調節機構・収納ボックスと内張り板との連結部構造を煩雑なものとさせることなく、簡潔且つ外観美良好なものとさせてこれらの組付性を向上させるものである。
【０００８】
また、ステアリングコラムの左右両側にフットレストを折畳み自在に設けて、作業者の居住空間を確保するべくステアリングコラムに対し運転席を最大に近接させた場合のフットレストのコンパクトな設置を可能とさせると共に、フットレスト不必要時の収納を容易とさせて作業スペースを確保して作業性を向上させるものである。
【０００９】
さらに、穀物タンクの穀粒排出オーガを操作する操作ボックスを運転席右側のアームレストに内設させ、機体右外側より操作ボックスの操作を可能とさせて、操作ボックスを耐久性良好に運転席近傍に保持させると共に、操作必要時機体右外側からもキャビンの窓を通して操作ボックスを容易に操作するなどして穀粒取出し作業の能率向上化を図るものである。
【００１０】
【発明の実施の形態】
以下、本発明の実施例を図面に基づいて詳述する。図１はコンバインの全体の斜視図、図２は同右側面図であり、図中１は左右一対の走行クローラ２を装設する左右一対のトラックフレーム、３は前記の左右トラックフレーム１に架設する機台、４はフィードチェン５を左側に張架し扱胴６及び処理胴を内蔵している脱穀機である脱穀部、７は引起機構８及び刈刃９及び穀稈搬送機構１０などを備える刈取部、１１は刈取フレーム１２を介して刈取部７を昇降させる油圧昇降シリンダ、１３は排藁チェン１４終端を臨ませる排藁処理部、１５は脱穀部４からの穀粒を揚穀筒を介して搬入する穀物タンク、１６・１７は前記タンク１５の穀粒を機外に搬出する排出オーガ、１８は運転操作ハンドル１９及び運転席２０を備える運転キャビン、２１は運転キャビン１８下方に設けるエンジンであり、連続的に穀稈を刈取って脱穀するように構成している。
【００１１】
図３、図４に示す如く、機台３前側で左右の走行クローラ２の間にミッションケース２２を配設させ、ミッションケース２２とエンジン２１を略直列に前後に設け、ミッションケース２２を介して走行クローラ２にエンジン２１の駆動力を伝えると共に、脱穀部４前側の機台３上面に左右の支持台２３・２４を立設させ、支持台２３・２４に刈取フレーム１２を介して刈取部７を昇降自在及び横移動可能に設ける。また、支持台２３・２４後側の機台３上面にカウンタケース２５を設け、脱穀部４及び刈取部７にカウンタケース２５を介してエンジン２１の駆動力を伝える。
【００１２】
また、ミッションケース２２側方の機台３にキャビン前フレーム２６を立設させ、キャビン１８のステップフレーム２７前部を前フレーム２６上部に回動支点軸２８を介して設け、支点軸２８回りにキャビン１８を前方に回動自在に支持させると共に、右の支持台２４に左のキャビン後フレーム２９を立設させ、機台３に立設させる右のキャビン後フレーム３０との間の機台３上面にエンジン２１を設け、エンジン２１をエンジンルームカバー３１で覆う。また、前記カバー３１の上方で左右の後フレーム２９・３０上部をキャビン横フレーム３２によって連結させ、キャビン横フレーム３２にフックレバー３３を設け、キャビン１８のステップフレーム２７後部を横フレーム３２に上載させてフックレバー３３により係脱自在に固定させると共に、右の支持台２４と前フレーム２６の間に水平連結フレーム３４を固定させ、水平連結フレーム３４中間と横フレーム３２中間に傾斜連結フレーム３５を固定させ、連結フレーム３４・３５によってフレーム剛性を確保する。また、左の後フレーム２９にオーガ支柱３６を連結させてオーガレスト３７を設け、昇降及び旋回自在に設ける排出オーガ１７をオーガレスト３７の本機収納位置に支持させる。
【００１３】
図５乃至図１１に示す如く、前記ステップフレーム２７の前部で低位置の水平状ステップ部３８にステアリングコラム３９を立設させ、操作ハンドル１９及び計器パネル４０及びフロントパネル４１をステアリングコラム３９上部に設けると共に、ステップフレーム２７の後部を段付立上り状のシート部４３に形成して運転席２０をシート部４３に設ける。またステップフレーム２７の右側沿いに断面門形状の補強フレーム４４を配設させ、該フレーム４４後部の湾曲立上り部に運転席２０右側の昇降用取手４５を取付けてキャビン１８入口に臨ませると共に、キャビン１８入口と反対側の運転席２０左側にサイドコラム４６を設け、前方より主変速レバー４７・副変速レバー４８・脱穀及び刈取用クラッチレバー４９・排藁切断及び集束用切換スイッチ５０をサイドコラム４６上部に設け、運転席２０の左右両側には左右のアームレスト５１を上方に折畳み自在に配備させる。
【００１４】
図１２乃至図１５に示す如く、前記運転席２０を前後位置調節自在に支持する座席台５２を上下調節機構５３を介してステップフレーム２７に高さ調節自在に取付けたもので、上下調節レバー５４を有するガススプリング５５によって上下調節機構５３を形成し、ガススプリング５５の本体を外筒５６を介し取付座５７に固定させ、ステップフレーム２７の表面を形成する内張り板５８の立上り部と水平シート部４３の略直角コーナ部５９に上方より取付座５７をボルト６０止め固定させ、略垂直姿勢のガススプリング５５の下端側を内張り板５８の開孔６１を介し下方に臨ませ、ガススプリング５５のピストンロッド５５ａ先端を座席台５２に連結させ、運転席２０位置の作業者の略重心位置下方にガススプリング５５を略垂直状に配置させて、上下調節レバー５４の操作によって運転席２０を適正高さ位置で固定保持させるように構成している。
【００１５】
また、前記座席台５２と取付座５７の後側間を屈折リンク機構６２によって連結させて前記ガススプリング５５を中心とした運転席２０の回動を規制するもので、座席台５２下面の左右ブラケット６３に軸６４を介し揺動自在に連結する門形状の第１リンク６５と、取付座５７の後側に軸６６を介し揺動自在に連結する門形状の第２リンク６７とを設け、第１リンク６５の内側に第２リンク６７の外側を嵌合させる形状として各リンク６５・６７先端を単一の軸６８で連結させ、第１及び第２リンク６５・６７の重合によって左右方向にガタのない運転席２０の適正高さでの位置保持を行うように構成している。
【００１６】
さらに、前記フロントパネル４１に各種作業用の操作スイッチなど多数設けて、サイドコラム４６に設ける操作スイッチなど操作部材の設置数を低減させ、サイドコラム４６の横巾Ｗを縮小させて運転席２０とサイドコラム４６間に形成される余剰スペース６９を拡大させるもので、取扱い説明書や作業予定表など必要書類を収納保持する収納ボックス７０を前記スペース６９に載置させると共に、サイドコラム４６の側板７１にボルト７２止めする運転部用コントローラ７３をボックス７０で覆うように構成している。なお収納ボックス７０はツールボックス或いはクーラボックスなど何れでも良い。
【００１７】
前記コントローラ７３は、刈取及び脱穀用電磁クラッチなど運転キャビン１８近傍の制御装置の制御を行い、コントローラ７３側面の表示窓７４よりセンサ出力や制御に異常やエラーなどが発生したときに液晶による記号表示で報知させ、作業中も作業者は運転席位置より容易に表示窓７４を通して異常を確認し各部の正常な制御を可能とさせるように構成している。
【００１８】
また図１２、図１６、図１７にも示す如く、前記収納ボックス７０は鉄板製の取付板７５を一体結合させる樹脂加工品に形成し、取付板７５の垂直板部７５ａでボックス７０内を左右に仕切り、垂直板部７５ａより左側を前記コントローラ７３を覆う開放側のコントローラ収納室７６に、また右側を取扱い説明書などの書類Ａを収納する箱形の書類収納室７７に形成している。そして取付板７５上端の折曲縁７５ｂをノブボルト７８で前記側板７１に容易に取外し可能に固定させると共に、書類収納室７７底部の固定ボルト７９の下端を内張り板５８に開設するボルト孔８０に嵌合させてボックス７０の内張り板５８に沿った位置ズレなどのない正確な取付けを行って、ボックス７０の装着時にはコントローラ７３の外側をボックス７０で覆って保護すると共に、書類収納室７７上方の収納口８１より容易に書類の出し入れを行うように構成している。
【００１９】
図１３、図１５にも示す如く、前記昇降用取手４５はステップフレーム２７に固設するＬ形状の取手台８２を設け、前記フレーム４４上面に接合させる円弧状接合部８２ａと、シート部４３とフレーム４４間を覆う内張り板５８の右側板部５８ａに接合させる板状接合部８２ｂとを取手台８２は有し、円弧状接合部８２ａ上面に取手４５基端を固定させ、板状接合部８２ｂを前記右側板部５８ａに複数のボルト８３で固定させている。
【００２０】
そして前記内張り板５８の昇降用取手４５・上下調節機構５３・収納ボックス７０との各取付部を板状接合部８２ｂ・取付座５７・ボックス７０で覆って、これら取手４５・上下調節機構５３・収納ボックス７０の簡潔にして外観良好な内張り板５８に対する取付けを可能とさせるように構成している。
【００２１】
図１０、図１８乃至図２０に示す如く、前記運転席２０前側で運転キャビン１８の下前側壁を構成する前側板８４に左右の弾性膝当て板８５を固設させるもので、ステアリングコラム３９を挾むように前側板８４の上端裏側面に左右の膝当て板８５を載置させて、ステアリングコラム３９と前側板８５との隙間を小さく運転席２０全体に対する作業者の占める居住空間を確保するように構成している。
【００２２】
また、ステアリングコラム３９の左右側面下側に左右のフットレスト８６を上下方向に折畳み自在に設けるもので、ステアリングコラム３９の下側側面と内張り板５８にボルト８７止めするＬ形ブラケット８８にレスト台８９を固設させ、前後方向の締結ボルト９０によってフットレスト８６の枢着板８６ｂをレスト台８９に皿バネ９１を介し折畳み自在に連結させ、前高後低に傾斜配置させるフットレスト８６の後端を上方に折曲げてすべり止め部８６ａに形成して、図２０実線状態の如く、フットレスト８６の左右拡張時にはフットレスト８６の上面に足を楽に載せて快適に作業を行う一方、同図仮想線の如くステアリングコラム３９の左右側板に沿うフットレスト８６の収納時にはフットレスト８６を簡潔に収納してステアリングコラム３９左右外側のステップ部３８上の空きスペースを有効に拡大させるように構成している。
【００２３】
図２１乃至図２５に示す如く、前記操作ハンドル１９はハンドルホイル９２とハンドルスポーク９３とハンドルハブ９４とで側面視略コ形状に形成し、前記ステアリングコラム３９上方に突出させるハンドル軸９５にハンドルハブ９４を固定させ、ホイル９２・スポーク９３・ハブ９４で囲まれる空間域に計器パネル４０のパネルボックス９６を配設させ、ハンドル軸９５前側位置のフレーム９７を介してパネルボックス９６を下側取付部９８に連結させ、ステアリングコラム３９上面のボックス取付台９９にパネルボックス９６の下側取付部９８を固定させ、左右に延設させるフロントパネル４１の中央ケース部１００をステアリングコラム３９上部に固定させて、ハンドル軸９５や取付部９８を中央ケース部１００で隠蔽するように構成している。
【００２４】
そして前記フロントパネル４１は中央のハンドル１９を中心として左右に左右のスイッチパネル４１ａ・４１ｂを配置させ、機体を左右水平に維持する自動水平制御（ＵＦＯ）入切用の自動スイッチ１０１と、作業中エンジン負荷が限界に近づくと車速を自動減速し負荷が軽減されると自動的に元の車速に戻す快速制御入切用スイッチ１０２と、高速運転入切用の自動走行スイッチ１０３と、刈取部７の刈高さを調節するダイヤル式刈高さ調節器１０４と、刈取部７の自動刈高さ制御入切用の自動刈高さスイッチ１０５とを左スイッチパネル４１ａに設けると共に、作業灯をオンオフする作業灯スイッチ１０６と、脱穀部４の選別動作を穀粒の種類にによって切換えるダイヤル式選別スイッチ１０７と、脱穀部４の穀稈の自動扱深さ制御入切用の自動扱深さスイッチ１０８と、エンジン２１のアクセル調節を行うダイヤル式設定器１０９と、エンジン２１を一定回転させる電子ガバナ制御入切用のエコモードスイッチ１１０を、右のスイッチパネル４１ｂに設ける。
【００２５】
また図７に示す如く、前記主変速レバー４５は前進増速時運転席２０に対し左斜前方に移動させるようにサイドコラム４６上面のレバーガイド溝１１１に案内させて操作性を向上させると共に、図２６に示す如く作業者が左手で握るグリップ１１２上面に刈取変速スイッチ１１３と、副変速スイッチ１１４と、脱穀部４の扱深さ調節を手動で行う扱深さスイッチ１１５と、刈取部７を手動で昇降させる刈取昇降スイッチ１１６と、刈取部７を所定高さまで下降、上昇させるオートセット及びリフトスイッチ１１７・１１８を配置させ、グリップ１１２基部に形成する外膨らみ部１１９に左手の親指と反対側の手の平を当てて主に親指によりこれらスイッチ１１３〜１１８の操作を行うように構成している。
【００２６】
上記からも明らかなように、運転席２０の前方にステアリングコラム３９を配設するコンバインにおいて、左右方向に延設させるフロントパネル４１をステアリングコラム３９上部に設け、各種操作部材である操作スイッチ１０１・１０２・１０３・１０５・１０６・１０７・１０８・１１０，調節器１０４，設定器１０９をフロントパネル４１を配設させると共に、運転席２０側方のサイドコラム４６幅を縮小させることによって、運転席２０とサイドコラム４６間のスペースを従来より拡大させ、従来の運転席２０やステップフレーム２７の大きさで作業者の居住空間を有効に拡大させて作業能率の向上化を図ると共に、取扱い説明書などの書類入れやツールボックスなどの収納ボックス７０の設置も運転席２０とサイドコラム４６間に容易に設置可能とさせて作業性を向上させることができる。
【００２７】
また、運転席２０の前後一側をガススプリング５５を有する上下調節機構５３で、他側をコの字形のリンク部材であるリンク６５・６７で運転台であるステップフレーム２７に上下位置調節自在に支持させたことによって、上下調節機構５３による運転席２０の上下位置調節時にフレーム２７及び運転席２０側のコの字形リンク６７・６５の相互重なりで運転席２０の左右方向の位置ズレのない良好な上下位置調節を可能とさせることができる。
【００２８】
さらに、運転席２０とサイドコラム４６間に各種制御用のコントローラ７３を配設すると共に、付属品など収納する収納ボックス７０でコントローラ７３を覆ったことによって、運転席２０位置でコントローラ７３の表示確認などを容易に可能とさせると共に、作業中など常時は収納ボックス７０でコントローラ７３を保護してコントローラ７３の性能保持や耐久性の向上を容易に図ることができる。
【００２９】
また、ステップフレーム２７上側に張設する運転席２０の内張り板５８を昇降用取手部材である取手台８２と上下調節機構５３と収納ボックス７０を介しステップフレーム２７に取付けたことによって、各取手台８２・上下調節機構５３・収納ボックス７０と内張り板５８との連結部構造を煩雑なものとさせることなく、簡潔且つ外観美良好なものとさせてこれらの組付性を向上させることができる。
【００３０】
さらに、運転席２０前方の前側板８４にステアリングコラム３９を中心として左右に分割させる左右の膝当て部材である膝当て板８５を配設させたことによって、前側板８４に運転席２０を最大に近接させて運転部全体の広さに対する作業者の居住空間を充分に確保して、運転席２０位置の作業者の操作などにおける作業性を向上させることができる。
【００３１】
また、ステアリングコラム３９の左右両側にフットレスト８６を折畳み自在に設けたことによって、作業者の居住空間を確保するべくステアリングコラム３９に対し運転席２０を最大に近接させた場合のフットレスト８６のコンパクトな設置を可能とさせると共に、フットレスト８６不必要時の収納を容易とさせて運転席２０前側の作業スペースを有効に確保して作業性を向上させることができる。
【００３２】
図３０に示す如く、前記ハンドルホイル９２の左右内膨らみ部１２０ａ・１２０ｂに左右水平制御用及び高さ制御用の押動式４方向操作スイッチ１２１と刈取昇降用及び扱深さ制御用の押動式４方向操作スイッチ１２２とを設けると共に、ハンドルホイル９２の略中央に配設する計器パネル４０の左側に第１及び第２設定スイッチ１２３・１２４を、また右側に表示切換スイッチ１２５及びブザー停止スイッチ１２６とを配置させ、パネル４０中央の液晶パネル面１２７に作業状況などの情報を表示させるように構成している。なお前記右操作スイッチ１２２の左右押し操作時には例えば扱深さ制御に換え微少左及び右旋回を行うフィットステアリングを行う構成とし、扱深さ制御を左操作スイッチ１２１で行う構成でも良い。
【００３３】
そして図３４、図３５に示す如く、例えば液晶パネル面１２７は電源投入時に初期モードとさせて初期モード画面（キャラクター）を表示させ、電源投入時より設定時間経過後もしくはエンジン回転数の設定回転数異常となる（１）とき通常モード状態となり、この通常モード状態中にあっては脱穀クラッチの入（９）或いは切り（１０）によって図３１の作業状態モード画面１２７ａ或いは図３２の非作業状態モード画面１２７ｂに切換わり、作業状態モードのとき負荷モニター、オーバーロッド表示、左右クローラ速度・車速・タンクシグナル・積算時間計（刈取作業時間）・副変速状態・刈取変速状態・エラー発生時のエラー文字表示など画面１２７ａ表示すると共に、非作業モードのときエンジン回転数・車速・タンクシグナル・積算時間計・副変速状態・刈取変速状態・エラー文字表示など画面１２７ｂ表示する。
【００３４】
また、通常モード中で、新規の警報が発生した時或いは発生している状態で停止スイッチ１２６を押したとき（２）、各警報ごとに記号・文字・警報箇所を表示する警報表示モードの画面に切換わると共に、警報解除時或いは停止スイッチ１２６を押したとき（３）通常モードに戻るもので、初期モード時に脱穀クラッチが入状態のとき（８）にも警報表示モードの画面に切換わる。
【００３５】
さらに、通常モード中のエラー発生時に停止スイッチ１２６を一定時間以上連続で押し続けたとき（４）、エラーコードやエラー項目など表示するエラー表示モードの画面に切換わると共に、エラー条件解除時或いは停止スイッチ１２６を押したとき（５）に通常モードに戻り、表示モード中にあって切換スイッチ１２５を押したとき（６）、各種操作スイッチデータを表示する操作スイッチ設定モードの画面に切換わると共に、切換スイッチ１２５を再度押したとき（７）通常モードに戻る。
【００３６】
また、通常モード中の非作業モード状態にあって、エンジン回転数の設定以下・車速停止状態で第１及び第２設定スイッチ１２３・１２４を一定時間（１秒）以上押し続けた後停止スイッチ１２６と切換スイッチ１２５を押してこれら４つのスイッチ１２３・１２４・１２５・１２６を一定時間（５秒間）押し続けるとき（１１）、メンテナンス項目など表示するメンテナンスモードの画面に換わり、キースイッチが切となるまでメンテナンスモードを継続させる。
【００３７】
ところで、図２７乃至図２９に示す如く、運転席２０の座部１３０に背部１３１をシートフレーム１３２によって連結させ、ボルト孔１３３の変更によって取付け高さ変更自在に支点フレーム１３４をシートフレーム１３２にボルト１３５止め固定させると共に、ノブ付ボルト１３６及びガイド孔１３７を介して支点軸１３８回りに上下に回動自在に支点フレーム１３４にサイドフレーム１３９を設け、またノブ付ボルト１４０及びガイド孔１４１を介して前後に摺動自在にサイドフレーム１３９にレストフレーム１４２を設け、レストフレーム１４２にアームレスト５１を皿ビス１４３止め固定させ、運転席２０に対して、高さ調節自在に、後方起立及び前方倒伏自在に、前後スライド自在に、アームレスト５１を設ける。
【００３８】
また、アームレスト５１にケース本体１４４と蓋１４５を備え、アームレスト５１を中空のケース形状に形成し、ケース本体１４４に蝶番１４６を介して蓋１４５を開閉自在に設け、作業者が携行する電話機・タバコなど収納可能とさせるもので、右側アームレスト５１に操作ボックス１４７を内装させ操作ボックス１４７裏面に面一に通信ケーブル１４８を設け、ケース本体１４４の後面穴１４９からアームレスト５１後方にケーブル１４８を延出させ、運転席２０の後側を介して本機コントローラ（図示省略）にケーブル１４８を接続させ、水抜き用とケーブル１４８配続用とに後面穴１４９を兼用すると共に、前記排出オーガ１７先端の投出口を手動で昇降及び旋回させる上下及び左右移動スイッチ１５０・１５１・１５２・１５３と、排出オーガ１７を穀粒位置及び本機収納位置に自動的に移動させるオートセットスイッチ用の右及び後スイッチ１５４・１５５及びオートリターン用の収納スイッチ１５６と、排出オーガ１７にエンジン２１動力を伝えるオーガクラッチを入切するクラッチスイッチ１５７と、排出オーガ１７の投出口を首振り動作させて投出方向を変更するセット及びリターンスイッチ１５８・１５９を、操作ボックス１４７の表面に設ける。
【００３９】
さらに、アームレスト５１の前側上面の蓋１４５に窓１６０を設け、レールを介して開閉自在に透明な蓋板体１６１を窓１６０に設けると共に、右及び後スイッチ１５４・１５５と収納スイッチ１５６を窓１６０に対向させ、蓋板体１６１の開操作により、窓１６０から各スイッチ１５４・１５５・１５６を操作し、作業者が蓋１４５を開けて操作ボックス１４７を取出すことなく、排出オーガ１７を穀粒排出位置または本機収納位置に移動させる操作を行う。また、刈取り脱穀を行う収穫作業状態から、穀物タンク１５の穀粒を取出す排出作業に移行する際に、使用してはいけないオーガクラッチスイッチ１５７等を窓１６０から見えない（操作できない）位置に配置させ、作業者のひじ等がスイッチ１５７等に窓１６０から触れて誤作動するのを防止している。
【００４０】
上記からも明らかなように、穀物タンク１５の穀粒排出オーガ１７を操作する操作ボックス１４７を運転席２０右側のアームレスト５１に内設させ、機体右外側より操作ボックス１４７の操作を可能とさせたことによって、操作ボックス１４７を耐久性良好に運転席２０近傍に保持させると共に、操作必要時機体右外側からもキャビン１８の窓を通して操作ボックス１４７を容易に操作するなどして穀粒取出し作業の能率向上化を図ることができる。
【００４１】
【発明の効果】
以上実施例から明らかなように本発明は、運転席２０の前方にステアリングコラム３９を配設するコンバインにおいて、左右方向に延設させるフロントパネル４１をステアリングコラム３９上部に設け、各種操作部材１０１〜１１０をフロントパネル４１を配設させると共に、運転席２０側方のサイドコラム４６幅を縮小させたものであるから、運転席２０とサイドコラム４６間のスペースを従来より拡大させ、従来の運転席２０の大きさで作業者の居住空間を有効に拡大させて作業能率の向上化を図ると共に、取扱い説明書などの書類入れやツールボックスなどの収納ボックス７０の設置も運転席２０とサイドコラム４６間に容易に設置可能とさせて作業性を向上させることができるものである。
【００４２】
また、運転席２０前方の前側板８４にステアリングコラム３９を中心として左右に分割させる左右の膝当て部材８５を配設させたものであるから、前側板８４に運転席２０を最大に近接させて運転部全体の広さに対する作業者の居住空間を充分に確保して、運転席２０位置の作業者の操作などにおける作業性を向上させることができるものである。
【００４３】
さらに、運転席２０とサイドコラム４６間に各種制御用のコントローラ７３を配設すると共に、付属品など収納する収納ボックス７０でコントローラ７３を覆ったものであるから、運転席２０位置でコントローラ７３の表示確認などを容易に可能とさせると共に、作業中など常時は収納ボックス７０でコントローラ７３を保護してコントローラ７３の性能保持や耐久性の向上を容易に図ることができるものである。
【００４４】
また、運転席２０の前後一側をガススプリング５５を有する上下調節機構５３で、他側をコの字形のリンク部材６５・６７で運転台２７に上下位置調節自在に支持させたものであるから、上下調節機構５３による運転席２０の上下位置調節時に運転台２７及び運転席２０側のコの字形リンク部材６７・６５の相互重なりで運転席２０の左右方向の位置ズレのない良好な上下位置調節を可能とさせることができるものである。
【００４５】
さらに、運転台２７上側に張設する運転席２０の内張り板５８を昇降用取手部材８２と上下調節機構５３と収納ボックス７０を介し運転台２７に取付けたものであるから、各取手部材８２・上下調節機構５３・収納ボックス７０と内張り板５８との連結部構造を煩雑なものとさせることなく、簡潔且つ外観美良好なものとさせてこれらの組付性を向上させることができるものである。
【００４６】
また、ステアリングコラム３９の左右両側にフットレスト８６を折畳み自在に設けたものであるから、作業者の居住空間を確保するべくステアリングコラム３９に対し運転席２０を最大に近接させた場合のフットレスト８６のコンパクトな設置を可能とさせると共に、フットレスト８６不必要時の収納を容易とさせて運転席２０前側の作業スペースを有効に確保して作業性を向上させることができるものである。
【００４７】
さらに、穀物タンク１５の穀粒排出オーガ１７を操作する操作ボックス１４７を運転席２０右側のアームレスト５１に内設させ、機体右外側より操作ボックス１４７の操作を可能とさせたものであるから、操作ボックス１４７を耐久性良好に運転席２０近傍に保持させると共に、操作必要時機体右外側からもキャビン１８の窓を通して操作ボックス１４７を容易に操作するなどして穀粒取出し作業の能率向上化を図ることができるものである。
【図面の簡単な説明】
【図１】コンバインの全体斜視図。
【図２】同側面図。
【図３】機体前部の側面説明図。
【図４】同正面説明図。
【図５】運転部の斜視図。
【図６】運転部の側面図。
【図７】運転部の平面図。
【図８】運転部の正面図。
【図９】運転席部の右側面図。
【図１０】運転席部の左側面図。
【図１１】運転席部の斜視図。
【図１２】運転席部の正面図。
【図１３】運転席部の正面説明図。
【図１４】運転席の支持説明図。
【図１５】内張り板の説明図。
【図１６】収納ボックスの側面説明図。
【図１７】収納ボックスの斜視説明図。
【図１８】ステップコラム部の斜視説明図。
【図１９】フットレストの側面図。
【図２０】フットレストの正面説明図。
【図２１】ステアリングコラム部の斜視説明図。
【図２２】ステアリングコラム部の分解説明図。
【図２３】ステアリングコラム部の平面説明図。
【図２４】左スイッチパネルの説明図。
【図２５】右スイッチパネルの説明図。
【図２６】主変速レバーのクリップ部の説明図。
【図２７】運転席の側面図。
【図２８】アームレストの断面説明図。
【図２９】アームレストの平面説明図。
【図３０】ハンドル部の平面説明図。
【図３１】計器パネルの作業モードの画面説明図。
【図３２】計器パネルの非作業モードの画面説明図。
【図３３】モード状態の切換説明図。
【図３４】通常モード内の状態遷移図。
【符号の説明】
２０　　運転席
２７　　フレーム（運転台）
３９　　ステアリングコラム
４１　　フロントパネル
４６　　サイドコラム
５３　　上下調節機構
５５　　ガススプリング
５８　　内張り板
６５・６７　　リンク（リンク部材）
７０　　収納ボックス
７３　　コントローラ
８２　　取手台（昇降用取手部材）
８４　　前側板
８５　　膝当て板（膝当て部材）
８６　　フットレスト
１０１〜１０３　　スイッチ（操作部材）
１０５〜１０８　　スイッチ（操作部材）
１１０　　スイッチ（操作部材）
１０４　　調節器（操作部材）
１０９　　設定器（操作部材）
【図１】
2004073101.tif 000003
【図２】
2004073101.tif 000004
【図３】
2004073101.tif 000005
【図４】
2004073101.tif 000006
【図５】
2004073101.tif 000007
【図６】
2004073101.tif 000008
【図７】
2004073101.tif 000009
【図８】
2004073101.tif 000010
【図９】
2004073101.tif 000011
【図１０】
2004073101.tif 000012
【図１１】
2004073101.tif 000013
【図１２】
2004073101.tif 000014
【図１３】
2004073101.tif 000015
【図１４】
2004073101.tif 000016
【図１５】
2004073101.tif 000017
【図１６】
2004073101.tif 000018
【図１７】
2004073101.tif 000019
【図１８】
2004073101.tif 000020
【図１９】
2004073101.tif 000021
【図２０】
2004073101.tif 000022
【図２１】
2004073101.tif 000023
【図２２】
2004073101.tif 000024
【図２３】
2004073101.tif 000025
【図２４】
2004073101.tif 000026
【図２５】
2004073101.tif 000027
【図２６】
2004073101.tif 000028
【図２７】
2004073101.tif 000029
【図２８】
2004073101.tif 000030
【図２９】
2004073101.tif 000031
【図３０】
2004073101.tif 000032
【図３１】
2004073101.tif 000033
【図３２】
2004073101.tif 000034
【図３３】
2004073101.tif 000035
【図３４】
2004073101.tif 000036